(57)【要約】【課題】  着脱操作を容易に迅速にでき耐久性があるコンテナバッグの支持装置とする。【解決手段】  コンテナバッグ開口１４内周面に当接する当接面２５を有する支持部本体２と、当接面の上側外方位置で支持部本体側に一端を軸支持され当接面に略直角な鉛直面に沿って回動可能な操作レバー３と、操作レバーの軸支持位置よりも上側外方位置で支持部本体側に一端を軸支持され他端に所定回動位置で当接面に対向する弾性押圧部２４を有する回動アーム４と、回動アームが押圧部を当接面に押圧している回動位置にあり操作レバーが回動アームと立体交差状態で略横位置にある交差位置付近で一端を回動アームに第１軸３０でリンク結合され第１軸位置から外方に伸延し操作レバーに第２軸３１でリンク結合されているリンク部材３２と、操作レバーの軸支持位置と第２軸位置とを結ぶ直線３７よりも第１軸位置が少し上側にある状態に操作レバーの下方回動を規制するストッパ６とを具備する。【選択図】        図３
2006016065.tif 000002
【特許請求の範囲】
【請求項１】
一端の開口を上にして開いた状態で吊下げられるフレキシブルコンテナバッグの前記開口内周面の複数箇所に当接する夫々の当接面を有する支持部本体と、前記当接面の各々に対応して設けてあり当接面の上側外方位置で前記支持部本体側に一端を軸支持され当接面に略直角な鉛直面に沿って回動可能である操作レバーと、前記操作レバーの軸支持位置よりも上側外方位置で前記支持部本体側に一端を軸支持され他端に所定回動位置で前記当接面に対向する弾性的に後退可能な押圧部を有する回動アームと、前記回動アームが前記押圧部を前記当接面に押圧している回動位置にあり前記操作レバーが前記回動アームと立体交差状態で略横位置にありその交差位置付近で一端を回動アームに第１軸でリンク結合され第１軸位置から外方に伸延した他端を操作レバーに第２軸でリンク結合されているリンク部材と、前記操作レバーの軸支持位置と前記第２軸位置とを結ぶ直線よりも第１軸位置が少し上側にある状態に操作レバーの下方への回動を規制しているストッパとを具備することを特徴とするフレキシブルコンテナバッグ支持装置。
【請求項２】
請求項１記載のフレキシブルコンテナバッグ支持装置において、前記押圧部がゴム部材により構成され、前記回動アームに取付けられ、前記当接面に向う方向の位置を調節可能であることを特徴とするフレキシブルコンテナバッグ支持装置。
【請求項３】
請求項１、又は請求項２記載のフレキシブルコンテナバッグ支持装置において、前記ストッパが、前記リンク部材に設けられていて前記回動レバーに当接して作用することを特徴とするフレキシブルコンテナバッグ支持装置。
【請求項４】
請求項１、請求項２、又は請求項３に記載のフレキシブルコンテナバッグ支持装置において、前記支持部本体が、前記開口の大きさに対応する外周を有する上下のリング部と、上下のリング部を連結している縦部材とで構成し、その縦部材に前記当接面が平坦面として設けられていることを特徴とするフレキシブルコンテナバッグ支持装置。
【発明の詳細な説明】
【技術分野】
【０００１】
本発明は、フレキシブルコンテナバッグを、洗浄、乾燥、検査等の際に開口状態で吊下げるための支持装置に関する。
【背景技術】
【０００２】
従来のフレキシブルコンテナバッグ洗浄装置において、フレキシブルコンテナバッグ（以下コンテナバッグと記す）は、筒状の開口部分を吊下げた状態に支持され、例えば、チェーンコンベアにより移送される途中位置で、洗浄、乾燥、検査等の処理が行われるようになっている。その洗浄等はコンテナバッグの開口部分が開口した吊下げ状態で行われるので、開口部分を開口状態に保持するために円筒状部材が開口内側に位置する状態で外側から押圧アーム（特許文献１、図３参照）やチャック部（特許文献２参照）によって押圧している。これらは何れも簡単なカムロック構造を適用していると考えられる。
【０００３】
【特許文献１】特開平７−６８２３３号公報
【特許文献２】特開平７−１７１５３３号公報
【発明の開示】
【発明が解決しようとする課題】
【０００４】
コンベアを使用するような洗浄装置等に用いるコンテナバッグの支持装置としては、一つの洗浄装置に多数の支持装置が用いられており、できるだけ簡略で、使用し易く、耐久性の良いことが望まれる。しかし、薄い材料で構成されているコンテナバッグの開口部を厚さ方向に挟んで支持するものであるから、適切な挟持力が必要であるが、単純なカムロック構造を採用すると、構成部材の僅かな磨耗で挟持力が低下してしまう問題や、挟持のための開閉間隙が大きく取れないで開口部分を差し込む操作が必ずしも容易ではない問題等がある。解決しようとする課題は、コンテナバッグの着脱操作が容易で、迅速に行うことができ、耐久性のあるコンテナバッグの支持装置を提供することである。
【課題を解決するための手段】
【０００５】
本発明の手段は、一端の開口を上にして開いた状態で吊下げられるフレキシブルコンテナバッグの前記開口内周面の複数箇所に当接する夫々の当接面を有する支持部本体と、前記当接面の各々に対応して設けてあり当接面の上側外方位置で前記支持部本体側に一端を軸支持され当接面に略直角な鉛直面に沿って回動可能である操作レバーと、前記操作レバーの軸支持位置よりも上側外方位置で前記支持部本体側に一端を軸支持され他端に所定回動位置で前記当接面に対向する弾性的に後退可能な押圧部を有する回動アームと、前記回動アームが前記押圧部を前記当接面に押圧している回動位置にあり前記操作レバーが前記回動アームと立体交差状態で略横位置にありその交差位置付近で一端を回動アームに第１軸でリンク結合され第１軸位置から外方に伸延した他端を操作レバーに第２軸でリンク結合されているリンク部材と、前記操作レバーの軸支持位置と前記第２軸位置とを結ぶ直線よりも第１軸位置が少し上側にある状態に操作レバーの下方への回動を規制しているストッパとを具備することを特徴とする。
【０００６】
この手段では、例えば、支持部本体をコンテナバッグ洗浄装置のチェーンコンベアに多数取付けて使用する。そのコンベア経路の所定のコンテナバッグ取り付け位置で支持部本体にコンテナバッグが取付けられて吊下げられ、移送される途中で洗浄等の処理が行なわれ、処理を終わると所定の取外し位置で取り外される。その取付けにおいては、操作レバーをストッパによる下方回動規制位置から上方へ十分に回動した上方回動位置としておくと、これによって回動アームがリンク部材を介して回動して押圧部が当接面から十分に離れた状態となるから、当接面と押圧部との間にコンテナバッグの開口周壁部を位置させ、つまり円筒状に広げた開口を支持部本体に対して下方から引き上げるようにして嵌合状態とし、その状態で操作レバーをストッパによって規制されるまで下方へ回動させる。この操作レバーの回動よって回動アームがリンクを介して従動し、つまり下方へ回動し、押圧部がコンテナバッグの周壁部を当接位置との間に挟んで押圧固定する。この押圧固定状態は、押圧部が当接面に押圧され弾性による反力を受けている状態であり、且つ第１軸位置が操作レバーの軸支持位置と第２軸位置とを結ぶ直線よりも少し上側にある状態であるから、回動アームに作用する前記反力の分力が第１軸及びリンク部材を介して操作レバーを押し下げるように作用し、操作レバーはストッパに規制されているから、その位置に規制されて動かない。従って、押圧部と当接部との間に開口周壁部が挟持され、コンテナバッグが開口状態で吊下げられる。この吊下げのための操作は、操作レバーを上方へ回動させた状態で、支持部本体にコンテナバッグの開口を嵌合させるように持ち上げ、次に操作レバーを下方へストッパに当たるまで回動させればよい。また、吊下げ状態のコンテナバッグを取り外すには、操作レバーを上方へ回動させればよく、コンテナバッグは支持を開放されて自然に落下する。
【０００７】
前記手段において、前記押圧部がゴム部材により構成され、前記回動アームに取付けられ、前記当接面に向う方向の位置を調節可能である構成とするのがよい。この構成では、押圧部がゴム部材で構成されているから、当接面に向って押圧された状態で弾性変形しており、その反力がコンテナバッグ支持のための押圧力であり、また、その反力の分力が操作レバーをストッパへ押圧して緩まないようになっている。押圧部つまりゴム部材の当接面に向う方向の位置を調節することにより、前記反力を容易に調節できる。
【０００８】
前記手段において、前記ストッパが、前記リンク部材に設けられていて前記回動レバーに当接して作用する構成とするのがよい。この構成では、ストッパをリンク部材と一体に形成できるから、部品数が増加しない。
【０００９】
前記手段において、前記支持部本体が、前記開口の大きさに対応する外周を有する上下のリング部と、上下のリング部を連結している縦部材とで構成し、その縦部材に前記当接面が平坦面として設けられている構成とするのがよい。この構成では、縦部材にフラットバー等を適用でき、支持部本体を円筒体に形成するものと比べて当接面が平坦面であるから、押圧部の先端面を平坦にして比較的広い面で均等な面圧力でコンテナバッグを挟持できるから、コンテナバッグに損傷を与え難い。また、縦部材を肉厚に形成しても支持部本体を円筒体に形成する場合に比べて重量を増大させることなく当接面部分を強固に形成できる。
【発明の効果】
【００１０】
本発明のコンテナバッグ支持装置は、比較的簡単な構成であるから安価に提供でき、押圧部と当接部の間隙を大きく取れるのでコンテナバッグの開口周壁部を装着し易く、操作レバーを押し下げる簡単な操作で確実に挟持して吊下げ状態に支持できる効果を奏する。
【００１１】
押圧部をゴム部材で構成し、位置調節可能とした構成は、コンテナバッグ支持のための押圧力を容易に調節できるので、コンテナバッグを適切な押圧力で強力に且つ確実に支持することができ、また、各部の微小摩耗により実質的に押圧部の位置が後方位置へ変化し押圧力が低下するような事態が生じても、これに容易に対応できる効果を奏する。
【００１２】
支持部本体を上下リング部と縦部材とにより構成し、当接面を平坦面とした構成は、コンテナバッグに損傷を与え難く、また、支持部本体の軽量化が可能である効果を奏する。
【発明を実施するための最良の形態】
【００１３】
支持部本体を上下のリングと縦部材で構成し、縦部材に平坦な当接面を設けると共にブラケットを取付けて操作レバーの軸支持部及び回動アームの軸支持部を設け、ストッパをリンク部材に設け、押圧部をゴム部材で形成する。
【実施例１】
【００１４】
図１〜図３は、本発明のコンテナバッグ支持装置の１実施例を示す。このコンテナバッグ支持装置１は、支持部本体２、操作レバー３、回動アーム４、リンク部材５、ストッパ６、等で構成されている。
【００１５】
支持部本体２は、図１、図２に示すように、上リング１０、下リング１１、４本の縦部材１２、からなり、上下リング１０、１１を適当な上下間隔で配置し、双方を４本の縦部材１２で連結するように溶接して枠状に一体化してある。上下リング１０、１１は同じ大きさであり、支持するコンテナバッグ１３の開口部１４を円形に開口させた大きさよりも少し小さく、容易に嵌入させることができる大きさである。縦部材１２は鋼材のフラットバーを用いてあり、リングの周方向に等間隔で位置し、平坦面が外方に向いている。また、必要に応じて別の縦部材１５を同様に溶接により設けてこれに溶接したフック１６を設ける。このフック１６は、コンテナバッグ１３の吊ロープを掛けるためのものである。なお、上リング１０にはチェーンコンベアに取り付けるためのハンガー１５を取り付けるようになっている。
【００１６】
操作レバー３は、図３（ａ）に見られるように、握り部１７に続いて二股に分かれ小間隙を隔てて伸延している端部が軸支持された略直線状のレバーである。図３（ｃ）に見られるように、鋼板で形成された略三角形の部分が所定の間隔で向かい合った形のブラケット１８を縦部材１２の上端部にボルト１９、ナット２０で取り付けてあり、このブラケット１８に操作レバー３が軸２１により上下に回動可能に一端を軸支持されている。軸２１の位置はブラケット１８の下部の縦部材１２表面に近い位置である。操作レバー３の軸２１で支持される部分はブラケット１８の外面を二股部分で挟んで位置している。また、操作レバー３が図示の略水平な状態から上方へ軸２１を中心に約６０度回動した位置に更に上方への回動を阻止する規制突起２２をブラケット１８に切り起こして形成してある。なお、図示していないが、規制突起２２の付近に上方に回動して規制突起２２に当接した操作レバー３をその位置に重力によって下降しない程度の保持力で保持する挟持ばねを設けてある。
【００１７】
回動アーム４は、図３（ｃ）に見られるように、ブラケット１８に別に設けられている軸２３により一端を軸支持され、扁平な長方形断面を有し、直線状に伸延し、操作レバー３の二股の間を通り抜け、他端に押圧部２４を設けてある。軸２３の位置は操作レバー３の軸２１の斜め上方外方位置である。回動アーム４の軸２３で支持されている部分はブラケット１８の対向している板の間にある。回動アーム４は軸２３を中心に上下に回動可能であり、下方に回動したとき押圧部２４が前記縦部材１２の外方に向いた平坦面の部分で形成される当接面２５に対向する。この例では押圧部２４がねじ２６の付いた短円柱状のゴム部材２７で形成されている。ゴム部材２７の先端面は平坦な面に滑り止め用の溝（図示省略）が環状に形成されている。ゴム部材２７はねじ２５を回動アーム４の先端に設けた雌ねじ２８に螺合させて別のロックナット２９でロックして振動などで緩まないようにしてある。このねじを用いた構造によりゴム部材２７の先端の押圧面２４が当接面２５に向かう方向の位置を任意に微調節可能である。
【００１８】
リンク部材５は、操作レバー３の中途と回動アーム４の中途とを連結しているものである。その連結状態は、図３（ｃ）に見られるように、操作レバー３が握り部１７を外方に向けて横位置、つまりほぼ水平な回動位置にあり、回動アーム４がほぼ鉛直な状態で押圧部２４が当接面２５に当接している回転位置にあるとき、その立体交差状態の交差位置付近でリンク部材５の一端が回動アーム４に第１軸３０でリンク結合され、第１軸３０の位置から外方に伸延した他端が操作レバー３に第２軸３１でリンク結合されている。リンク部材５は、同じ板状の短いリンク部２枚が所定の間隙を隔てた状態で軸孔中心を夫々一致させ２枚のリンク部３２、３２の各片側を連結部３５で断面コ字状をなすように連結した形状であり、例えば金属板からのプレス成形品である。リンク結合されたリンク部材５は、第１軸３０の位置ではリンク部３２、３２が回動アーム４を厚さ方向に挟んで軸支持されており、第２軸３１の位置では操作レバー３の二又の間に挟まれて軸支持されている。図３（ａ）に見られる、３３、３４は円筒状のスペーサであり、スペーサ３３はブラケット１８の隙間に位置し軸２１が貫通しており、スペーサ３４はリンク部材５のリンク部３２、３２間に位置し第２軸３１が貫通している。
【００１９】
ストッパ６は、前記リンク部材５に設けてあり、その連結部３５の縁で形成したものである。このストッパ６が作用する状態は、操作レバー３と回動アーム４が、図３（ｃ）を用いて前述した立体交差状態のときであり、第２軸３１と軸２１を結ぶ直線に対して第１軸３０が少し上側に位置し、且つ押圧部２４が当接面２５を適切な押圧力で押している状態である。この状態では押圧部２４の反力が回動アーム４を同図において軸２３を中心に時計方向に回転させるように作用しているから、この時計方向の回転をストッパ６が規制している。
【００２０】
このように構成したコンテナバッグの支持装置１は、例えば、洗浄装置のチェーンコンベアに取付け用ハンガー３７で取付けて用い、所定のコンテナバッグ支持位置で次のようにしてコンテナバッグ１３を支持させる。まず４本の操作レバー３を図１、図３（ｃ）に仮想線で示す位置に押し上げて上方へ回動させた状態としておき、コンテナバッグ１３の上端部の開口部１４を開いた状態で下リング１１側から支持部本体２に嵌合させるように引き上げ、次に各操作レバー３をストッパ６に当接して規制されるまで下方へ回動させる。これによってコンテナバッグ１３の支持が完了する。
【００２１】
操作レバー３が、上方へ回動させられている状態では、リンク部材５で連結されている回動アーム４も図に仮想線で示すように上方に回動しており、支持部本体２の当接面２５の外方には何も存在しない。従って、コンテナバッグ１３の開口部１４を嵌合させるように引き上げる操作はきわめて容易である。操作レバー３を下方へ回動さる過程では、回動アーム４もリンク部材５を介して下方へ従動する。リンク部材５は操作レバー３と回動アーム４の双方から規制作用を受けており、操作レバー３が略水平になると上下が略反転している。相対的な表現であるが、第１軸３０が下方から第２軸３１と軸２１を結ぶ直線３７に近付くと押圧部２４の先端面がコンテナバッグの開口部１４の周壁を挟んで縦部材１２の当接面２５に対向し押圧するようになり、第１軸３０が前記直線３７に到達すると押圧部２４に先端面が当接面２５に向かって押圧する力が最大となり、第１軸３０が前記直線３７を通り過ぎていくと押圧部２４による押圧力が少しずつ低下する。しかし、ストッパ６が作用して操作レバー３の下方への回動が停止するから、適切な押圧力が作用した状態に維持される。この状態は押圧部２４のゴム部材２７の圧縮による弾性変形の反力が回動アーム４に作用し、その反力は第１軸３０、リンク部材５、第２軸３１を順次介して操作レバー３を更に下方へ回動させる分力を生じている。従って、操作レバー３はストッパ６が作用してその位置に維持されるのである。
【００２２】
コンテナバッグ１３の支持状態は、開口部１４内に枠状の支持部本体２下部が嵌り込んだ状態であるから、開口した状態であり、適宜洗浄、乾燥等に使用するノズルをコンテナバッグ１３内に向かわせ、あるいは差し込むことができる。一連の処理を終わったコンテナバッグ１３を支持装置１から取り外すには、所定の取外し位置で操作レバー３の握り部１７を上方へ押し上げるだけでよく、これによって押圧部２４による押圧が解除され、コンテナバッグ１３は自重で落下する。
【００２３】
上記実施例では操作レバー３を手動操作するものとして説明したが、場合によってはエアシリンダ等を用いた駆動部によって操作する構成としても良い。
【００２４】
コンテナバッグの洗浄装置の他に、コンテナバッグに物を充填する際の開口部支持に適用できる。
【図面の簡単な説明】
【００２５】
【図１】本発明の１実施例の概略正面図である。
【図２】同実施例の部分省略平面図である。
【図３】同実施例の主要部分を示し、（ａ）は部分拡大平面図、（ｂ）は部分拡大正面図、（ｃ）は（ｂ）に対応する右側面図である。
【符号の説明】
【００２６】
１    コンテナバッグ支持装置
２    支持部本体
３    操作レバー
４    回動アーム
５    リンク部材
６    ストッパ
１０  上リング
１１  下リング
１２  縦部材
１３  コンテナバッグ
１４  開口部
１５  縦部材
１６  フック
１７  握り部
１８  ブラケット
１９  ボルト
２０  ナット
２１  軸
２２  規制突起
２３  軸
２４  押圧部
２５  当接面
２６  ねじ
２７  ゴム部材
２８  雌ねじ
２９  ロックナット
３０  第１軸
３１  第２軸
３２  リンク部
３３  スペーサ
３４  スペーサ
３５  連結部
３６  ハンガー
３７  直線
【図１】
2006016065.tif 000003
【図２】
2006016065.tif 000004
【図３】
2006016065.tif 000005